(57)【要約】【課題】メインフレキシブル配線板をライト用フレキシブル配線板の引出部分と共に液晶モジュールの背面に沿わせて折り曲げたときに、引出部分がメインフレキシブル配線板より後側にはみ出すことがなく、デジタルスチルカメラなどへの組込み作業を容易に行うことができる小型の液晶モジュールを提供する。【解決手段】メインフレキシブル配線板８を液晶モジュールＬＣＭの一辺に形成された引出口１０ｂから引き出すと共に、ライト用フレキシブル配線板の引出部分９０を液晶モジュールの一辺に形成された他の引出口１０ｃからメインフレキシブル配線板８の方に向かって斜めに引き出し、引出部分９０の端部の圧着片部９０ｃをメインフレキシブル配線板８に圧着した液晶モジュールＬＣＭとする。引出部分９０を斜めに引き出すことで、折り曲げたときの後側へのはみ出しを防止し、組込作業を容易にする。【選択図】図２
2008292531.tif 000002
【特許請求の範囲】
【請求項１】
液晶パネルに接続されたメインフレキシブル配線板を液晶モジュールの一辺に形成された引出口から引き出すと共に、光源が実装されたライト用フレキシブル配線板を液晶モジュールの一辺に形成された他の引出口から引き出し、ライト用フレキシブル配線板の引出部分の端部をメインフレキシブル配線板に圧着した液晶モジュールにおいて、
上記ライト用フレキシブル配線板がメインフレキシブル配線板の方に向かって斜めに引き出されていることを特徴とする液晶モジュール。
【請求項２】
上記ライト用フレキシブル配線板の引出部分が、メインフレキシブル配線板の方に向かって斜めに延びる斜片部と、この斜片部の先端から液晶モジュールの上記一辺と平行に横向きに延びる横片部と、この横片部の先端に形成された圧着片部とで構成されていることを特徴とする請求項１に記載の液晶モジュール。
【請求項３】
上記斜片部の曲げ弾性が上記横片部の曲げ弾性よりも小さいことを特徴とする請求項２に記載の液晶モジュール。
【請求項４】
上記斜片部の幅寸法が上記横片部の幅寸法よりも狭いことを特徴とする請求項２に記載の液晶モジュール。
【請求項５】
上記ライト用フレキシブル配線板の引出部分が、液晶モジュールの上記一辺に対して直角方向に少し突き出す突片部と、この突片部の先端からメインフレキシブル配線板の方に向かって斜めに延びる斜片部と、この斜片部の先端から液晶モジュールの上記一辺と平行に横向きに延びる横片部と、この横片部の先端に形成された圧着片部とで構成されていることを特徴とする請求項１に記載の液晶モジュール。
【請求項６】
上記斜片部及び上記突片部の曲げ弾性が上記横片部の曲げ弾性よりも小さいことを特徴とする請求項５に記載の液晶モジュール。
【請求項７】
上記斜片部及び上記突片部の幅寸法が上記横片部の幅寸法よりも狭いことを特徴とする請求項５に記載の液晶モジュール。
【請求項８】
上記斜片部の傾斜角（液晶モジュールの上記一辺に対する傾斜角）が２０°〜４０°であることを特徴とする請求項２ないし請求項７のいずれかに記載の液晶モジュール。
【発明の詳細な説明】
【技術分野】
【０００１】
本発明は小型の液晶モジュールに関し、特に、メインフレキシブル配線板をライト用フレキシブル配線板の引出部分と共に液晶モジュールの背面に沿わせて折り曲げたときに、ライト用フレキシブル配線板の引出部分がメインフレキシブル配線板よりも後側にはみ出さないように改良した液晶モジュールに関する。
【背景技術】
【０００２】
図９は、デジタルスチルカメラやインクジェットプリンターなどに組み込まれる従来の小型の液晶モジュールを示す背面図、図１０及び図１１はメインフレキシブル配線板とライト用フレキシブル配線板を液晶モジュールの背面に沿わせて折り曲げた状態の同液晶モジュールを示す背面図及び底面図である。
【０００３】
図９に示す従来の液晶モジュール１００は、その一辺の中央に形成された引出口から、液晶パネルに接続されたメインフレキシブル配線板１０１を直角方向に引き出すと共に、上記一辺の片側に形成された他の引出口から、光源が実装されたライト用フレキシブル配線板１０２を引き出し、ライト用フレキシブル配線板１０２の引出部分の端部をメインフレキシブル配線板１０１に圧着して、ライト用フレキシブル配線板の配線（不図示）とメインフレキシブル配線板のライト用配線（不図示）を接続したものである。
【０００４】
斯かる液晶モジュールは、図１０、図１１に示すように、メインフレキシブル配線板１０１とライト用フレキシブル配線板１０２を液晶モジュール１００の背面に沿わせて折り曲げた状態で、デジタルスチルカメラなどに組み込む必要があるため、ライト用フレキシブル配線板１０２の引出部分を、図９に示すように、液晶モジュール１００の一辺から直角方向に延びる縦片部１０２ａと、この縦片部の先端から液晶モジュール１００の一辺と平行に横方向に延びる横片部１０２ｂとからなる鉤形に形成し、折り曲げたときにライト用フレキシブル配線板１０２の端部とメインフレキシブル配線板１０１との圧着箇所の接触不良が生じないようにしている。
【０００５】
一方、液晶表示パネルに接続される幅広帯状の第一フレキシブル配線基板と、幅狭紐状の第二フレキシブル配線基板とを備え、第二フレキシブル配線基板が、バックライトユニットに接続された直線状基部と、この基部から延長された湾曲部と、この湾曲部の先端に形成された端子部とで構成されており、直線状基部が第一フレキシブル配線基板面に当接されて折り曲げられた液晶表示装置が知られている（特許文献１）。
【０００６】
また、バックライトの横のゲートバス基板と重なる空間に、入力コネクタとバス基板間接続コネクタを、角が斜めに形成された鉤形のＦＰＣを用いて配置した液晶表示装置も知られている（特許文献２）。
【特許文献１】特開２００６−１９５３０９号公報
【特許文献１】特開２０００−２８４３１１号公報
【発明の開示】
【発明が解決しようとする課題】
【０００７】
しかしながら、前述した従来の液晶モジュールのように、ライト用フレキシブル配線板１０２の引出部分が縦片部１０２ａと横片部１０２ｂからなる鉤形に形成されていると、図１０，図１１に示すように、メインフレキシブル配線板１０１をライト用フレキシブル配線板１０２と共に液晶モジュール１００の背面に沿わせて折り曲げたとき、ライト用フレキシブル配線板１０２の縦片部１０２ａを液晶モジュール１００の背面に向かって曲げようとする力が充分に作用しないため、縦片部１０２ａの曲げ弾性によってライト用フレキシブル配線板１０２の角部が浮いた状態でメインフレキシブル配線板１０１よりも後側（図１１では上側）に寸法Ｘだけはみ出し、デジタルスチルカメラなどに組み込む際に、上記のはみ出した角部が引掛かって組込み作業がし辛いという問題があった。
【０００８】
このような問題は、ライト用フレキシブル配線板の角部のはみ出し防止とは関係のない前記特許文献１や前記特許文献２の液晶表示装置の技術を採用しても、解決することはできない。
【０００９】
本発明は上記事情の下になされたもので、その解決しようとする課題は、メインフレキシブル配線板をライト用フレキシブル配線板の引出部分と共に液晶モジュールの背面に沿わせて折り曲げたときに、ライト用フレキシブル配線板の引出部分がメインフレキシブル配線板よりも後側にはみ出すことが実質的になく、それゆえデジタルスチルカメラなどへの組込み作業を容易に行うことができる小型の液晶モジュールを提供することにある。
【課題を解決するための手段】
【００１０】
上記の課題を解決するため、本発明に係る液晶モジュールは、液晶パネルに接続されたメインフレキシブル配線板を液晶モジュールの一辺に形成された引出口から引き出すと共に、光源が実装されたライト用フレキシブル配線板を液晶モジュールの一辺に形成された他の引出口から引き出し、ライト用フレキシブル配線板の引出部分の端部をメインフレキシブル配線板に圧着した液晶モジュールにおいて、上記ライト用フレキシブル配線板をメインフレキシブル配線板の方に向かって斜めに引き出したことを特徴とするものである。
【００１１】
本発明の液晶モジュールにおいては、ライト用フレキシブル配線板の引出部分が、メインフレキシブル配線板の方に向かって斜めに延びる斜片部と、この斜片部の先端から液晶モジュールの上記一辺と平行に横向きに延びる横片部と、この横片部の先端に形成された圧着片部とで構成されていることが望ましい。その場合は、斜片部の曲げ弾性が横片部の曲げ弾性よりも小さいこと、或いは、斜片部の幅寸法が横片部の幅寸法よりも狭いことが望ましい。
【００１２】
また、本発明の液晶モジュールにおいては、ライト用フレキシブル配線板の引出部分が、液晶モジュールの上記一辺に対して直角方向に少し突き出す突片部と、この突片部の先端からメインフレキシブル配線板の方に向かって斜めに延びる斜片部と、この斜片部の先端から液晶モジュールの上記一辺と平行に横向きに延びる横片部と、この横片部の先端に形成された圧着片部とで構成されていることも望ましい。その場合は、斜片部及び突片部の曲げ弾性が横片部の曲げ弾性よりも小さいこと、或いは、斜片部及び突片部の幅寸法が横片部の幅寸法よりも狭いことが望ましい。
【００１３】
そして、上記のいずれの場合も、斜片部の傾斜角（液晶モジュールの上記一辺に対する傾斜角）が２０°〜４０°であることが望ましい。
【発明の効果】
【００１４】
本発明の液晶モジュールのように、ライト用フレキシブル配線板がメインフレキシブル配線板の方に向かって斜めに引き出されていると、メインフレキシブル配線板をライト用フレキシブル配線板と共に液晶モジュールの背面に沿わせて折り曲げたとき、ライト用フレキシブル配線板の斜めの引出部分がメインフレキシブル配線板に引っ張られた状態になり、液晶モジュールの背面に向かって曲げようとする力が斜めの引出部分に作用する。そのため、ライト用フレキシブル配線板の斜めの引出部分は、曲げ弾性によって液晶モジュールの背面から浮くことが殆どなく、メインフレキシブル配線板と同様に液晶モジュールの背面沿いに折り曲げられて、メインフレキシブル配線板よりも後側にはみ出すことが実質的になくなるので、デジタルスチルカメラなどへの液晶モジュールの組込み作業を容易に行うことが可能となる。
【００１５】
ライト用フレキシブル配線板の引出部分は、メインフレキシブル配線板の方に向かって斜めに延びる斜片部と、その先端の圧着片部とで構成されていてもよいが、前記のように引出部分が斜片部と横片部と圧着片部とで構成されていると、横片部を目安にして圧着片部の位置決めなどを極く簡単に行うことができる利点がある。そして、斜片部の曲げ弾性が横片部の曲げ弾性よりも小さい場合や、斜片部の幅寸法が横片部の幅寸法よりも狭い場合は、斜片部の方が横片部よりも曲がり易いため、メインフレキシブル配線板を折り曲げるときの力が横片部を介して曲がり易い斜片部に作用し、斜片部が液晶モジュールの背面沿いに確実に折り曲げられると共に、斜片部が浮かないように横片部で押さえられて、引出部分のはみ出し防止効果が顕著になる。
【００１６】
また、ライト用フレキシブル配線板の引出部分が、前記のように突片部と斜片部と横片部と圧着片部とで構成され、斜片部及び突片部の曲げ弾性が横片部の曲げ弾性よりも小さい場合や、斜片部及び突片部の幅寸法が横片部の幅寸法よりも狭い場合には、上述した作用効果に加えて、突片部により折曲げ時の自由度を高めることが可能となる。
【００１７】
そして、引出部分の斜片部の傾斜角（液晶モジュールの一辺に対する傾斜角）が２０°〜４０°であると、メインフレキシブル配線板を液晶モジュールの背面側へ折り曲げるときに、横片部を介して斜片部を引っ張りながら確実に折り曲げて斜片部が浮かないように押さえることができるので、引出部分のはみ出し防止効果が一層顕著になる。
【発明を実施するための最良の形態】
【００１８】
以下、図面を参照して本発明の具体的な実施形態を詳述する。
【００１９】
図１は本発明の一実施形態に係る液晶モジュールの正面図、図２は同液晶モジュールの背面図、図３及び図４はメインフレキシブル配線板とライト用フレキシブル配線板を折り曲げた同液晶モジュールの背面図及び底面図、図５は裏返した同液晶モジュールの分解斜視図である。尚、図５は裏返した液晶モジュールの分解斜視図であるから、上下関係が逆になっている。
【００２０】
この小型の液晶モジュールＬＣＭは、図５、図１、図２に示すように、合成樹脂製の方形枠状のフレーム１の内側に導光板２を収容して、フレーム１の下方から光反射シート３を導光板２の裏面とフレーム１に貼着すると共に、導光板２の上に２枚の光拡散シート４ａ，４ｂと１枚のプリズムシート５を重ね、更にその上に液晶パネル６（液晶セル）を重ねてフレーム１の内側に収容し、上方から方形枠状のベゼル７をフレーム１に嵌着して組立てられたものである。このフレーム１とベゼル７は、フレーム側面に形成された係合爪１ａをベゼル側面に形成された被係合孔７ａに係合させることによって互いに分離しないように嵌着されている。
【００２１】
液晶パネル６にはメインフレキシブル配線板８が接続されており、該配線板８は液晶モジュールＬＣＭの一辺（底辺）の中央に形成された引出口１０ｂ（図２、図４参照）、即ち、図５に示すフレーム１の凹欠部１ｂとベゼル７の凹欠部７ｂによって形成される引出口１０ｂから外部へ引き出されている。このメインフレキシブル配線板８は、一端のコネクタ８ａから入力される液晶駆動用配線（不図示）とライト用配線８ｂを、該配線板８の裏面（図５では上面）に形成して絶縁膜で被覆したものであり、ライト用配線８ｂの端部には、銅箔の露出した圧着用パッド部８ｃが形成されている。
【００２２】
また、導光板２の一辺（底辺）の端面沿いには、光源として複数個（この実施形態では２個）のＬＥＤ１１を実装したライト用フレキシブル配線板９が配置されて反射テープ（不図示）で貼着されており、このライト用フレキシブル配線板９の引出部分９０は、液晶モジュールＬＣＭの一辺（底辺）の片側に形成された他の引出口１０ｃ（図２，図４参照）、即ち、図５に示すフレーム１のもう一つの凹欠部１ｃとベゼル７のもう一つの凹欠部７ｃによって形成される引出口１０ｃから、メインフレキシブル配線板８の方に向かって斜めに引き出されている。
【００２３】
このライト用フレキシブル配線板９の引出部分９０は、メインフレキシブル配線板８の方に向かって斜めに延びる斜片部９０ａと、この斜片部９０ａの先端から液晶モジュールＬＣＭの一辺と平行に横向きに延びる横片部９０ｂと、この横片部９０ｂの先端に形成された圧着片部９０ｃとで構成されており、斜片部９０ａの幅寸法は横片部９０ｂの幅寸法よりも狭くなっている。従って、幅寸法が狭い分だけ斜片部９０ａの曲げ弾性は小さくなり、曲がり易くなっている。また、上記の引出部分９０は、横片部９０ｂを目安にして圧着片部９０ｃの位置決めなどを簡単に行うこともできる。
【００２４】
斜片部９０ａの傾斜角θ（液晶モジュールの一辺に対する傾斜角θ）は２０°〜４０°に設定することが望ましく、傾斜角θが２０°よりも小さい場合は、メインフレキシブル配線板８と共にライト用フレキシブル配線板９の引出部分９０を液晶モジュールＬＣＭの背面側へ折り曲げる作業がし辛くなる。一方、傾斜角θが４０°よりも大きくなると、引出部分９０を折り曲げたときに斜片部９０ａが浮かないように横片部９０ｂで十分押さえることがむずかしくなり、引出部分９０のはみ出し防止効果が不十分になる。
【００２５】
ライト用フレキシブル配線板９の引出部分９０の表面（図５では下面）にはライト用配線９ａが形成されて絶縁膜で被覆されている。そして、圧着片部９０ｃの表面の配線端部には圧着用パッド部９ｂが設けられ、この圧着用パッド部９ｂをメインフレキシブル配線板８のライト用配線８ｂの端部の圧着用パッド部８ｃに圧着することによって、ライト用配線８ｂ，９ａが接続されている。尚、ライト用フレキシブル配線板９の配線９ａは、図５に示すように、途中からスルーホールを介してＬＥＤ１１の実装面（図５では上面）に導かれて形成されている。
【００２６】
以上のような構成の液晶モジュールＬＣＭは、図３，図４に示すように、メインフレキシブル配線板８とライト用フレキシブル配線板９を液晶モジュールＬＣＭの背面に沿わせて折り曲げ、その状態でデジタルスチルカメラなどに組み込まれるが、この液晶モジュールＬＣＭのようにライト用フレキシブル配線板９がメインフレキシブル配線板８の方に向かって斜めに引き出され、その引出部分９０が斜片部９０ａと横片部９０ｂと圧着片部９０ｃとで構成されていると、上記のように折り曲げたとき、引出部分９０の斜片部９０ａが横片部９０ｂを介してメインフレキシブル配線板８に引っ張られた状態になり、液晶モジュールの背面に向かって曲げようとする力が斜片部９０ａに作用すると同時に、斜片部９０ａが浮かないように横片部９０ｂによって押さえられるようになる。そのため、ライト用フレキシブル配線板９の引出部分９０は、その曲げ弾性によって液晶モジュールＬＣＭの背面から浮くことが殆どなくなり、メインフレキシブル配線板８と同様に液晶モジュールＬＣＭの背面沿いに折り曲げられて、メインフレキシブル配線板８よりも後側にはみ出すことが実質的になくなるので、デジタルスチルカメラなどへの液晶モジュールの組込み作業を容易に行うことが可能となる。特に、引出部分９０の斜片部９０ａの幅寸法が横片部９０ｂの幅寸法よりも狭く、斜片部９０ａの傾斜角θが２０°〜４０°に設定されている場合は、曲げ弾性が小さく曲がり易い斜片部９０ａが、横片部９０ｂを介してメインフレキシブル配線板８に引っ張られながら容易に折り曲げられ、液晶モジュールＬＣＭの背面から浮かないように曲げ弾性の大きい横片部９０ｂによって押さえられるので、引出部分９０のはみ出し防止効果が顕著になる。
【００２７】
この実施形態の液晶モジュールＬＣＭでは、斜片部９０ａの幅寸法を横片部９０ｂの幅寸法より狭くすることによって、斜片部９０ａの曲げ弾性を横片部９０ｂの曲げ弾性よりも小さくしているが、これ以外の手段、例えば、横片部９０ｂの裏面にダミーの配線を追加形成するなどの手段によって、横片部９０ｂの曲げ弾性を高め、相対的に斜片部９０ａの曲げ弾性を低下させるようにしてもよい。
【００２８】
図６は本発明の他の実施形態に係る液晶モジュールの背面図、図７及び図８はメインフレキシブル配線板とライト用フレキシブル配線板を折り曲げた同液晶モジュールの背面図及び底面図である。
【００２９】
この液晶モジュールＬＣＭは、ライト用フレキシブル配線板の引出部分９０が、液晶モジュールの一辺に対して直角方向に少し突き出す突片部９０ｄと、この突片部９０ｄの先端からメインフレキシブル配線板８の方に向かって斜めに延びる斜片部９０ａと、この斜片部９０ａの先端から液晶モジュールの一辺と平行に横向きに延びる横片部９０ｂと、この横片部９０ｂの先端に形成された圧着片部９０ｃとで構成されており、斜片部９０ａ及び突片部９０ｄの幅寸法を横片部９０ｂの幅寸法よりも狭くすることで、斜片部９０ａ及び突片部９０ｄの曲げ弾性を横片部９０ｂの曲げ弾性よりも小さくして、曲がり易くしている。
【００３０】
その他の構成は前記の液晶モジュールＬＣＭと同様であるので、図６〜図８において同一部材に同一符号を付し、重複する説明を省略する。
【００３１】
このような液晶モジュールＬＣＭは、前述した図１〜図５の液晶モジュールＬＣＭの作用効果に加えて、突片部９０ｄにより引出部分９０の折曲げ時の自由度を高めることができるといった作用効果を併せて奏する。
【図面の簡単な説明】
【００３２】
【図１】本発明の一実施形態に係る液晶モジュールの正面図である。
【図２】同液晶モジュールの背面図である。
【図３】メインフレキシブル配線板とライト用フレキシブル配線板を折り曲げた同液晶モジュールの背面図である。
【図４】メインフレキシブル配線板とライト用フレキシブル配線板を折り曲げた同液晶モジュールの底面図である。
【図５】裏返した同液晶モジュールの分解斜視図である。
【図６】本発明の他の実施形態に係る液晶モジュールの背面図である。
【図７】メインフレキシブル配線板とライト用フレキシブル配線板を折り曲げた同液晶モジュールの背面図である。
【図８】メインフレキシブル配線板とライト用フレキシブル配線板を折り曲げた同液晶モジュールの底面図である。
【図９】従来の液晶モジュールの背面図である。
【図１０】メインフレキシブル配線板とライト用フレキシブル配線板を折り曲げた従来の液晶モジュールの背面図である。
【図１１】メインフレキシブル配線板とライト用フレキシブル配線板を折り曲げた従来の液晶モジュールの底面図である。
【符号の説明】
【００３３】
１    フレーム
１ｂ，１ｃ  凹欠部
２    導光板
３    光反射シート
４ａ，４ｂ  光拡散シート
５    プリズムシート
６    液晶パネル
７    ベゼル
７ｂ，７ｃ  凹欠部
８    メインフレキシブル配線板
９    ライト用フレキシブル配線板
９０  引出部分
９０ａ  斜片部
９０ｂ  横片部
９０ｃ  圧着片部
９０ｄ  突片部
１０ｂ  液晶モジュールの一辺に形成された引出口
１０ｃ  液晶モジュールの一辺に形成された他の引出口
１１  光源（ＬＥＤ）
θ    斜片部の傾斜角
ＬＣＭ  液晶モジュール
【図１】
2008292531.tif 000003
【図２】
2008292531.tif 000004
【図３】
2008292531.tif 000005
【図４】
2008292531.tif 000006
【図５】
2008292531.tif 000007
【図６】
2008292531.tif 000008
【図７】
2008292531.tif 000009
【図８】
2008292531.tif 000010
【図９】
2008292531.tif 000011
【図１０】
2008292531.tif 000012
【図１１】
2008292531.tif 000013